(57)【要約】【課題】  ユーザがコンテンツ記録媒体を管理する為のラベル情報を管理し、さらに、コンテンツ記録媒体あるいはその付属物へのラベルを付加する。【解決手段】  コンテンツ選択手段１１１にはユーザが選択した選択指示情報が入力され、コンテンツ管理手段１１０を介してＨＤＤ１０５から選択コンテンツを読み出す。コンテンツ情報取得手段１１３は、ＥＰＧ取得部１０３から、選択コンテンツに関する情報を取得する。コンテンツ出力手段１１２は、ＤＶＤ出力部１０６に選択コンテンツをＤＶＤに情報を書き込む。一方、選択コンテンツに関する情報に基づいて、ラベルデータ生成手段１１５でラベルデータを生成し、ラベルイメージ生成手段１１６でラベルイメージを生成してラベル印刷を可能にする。【選択図】  図２
2006309854.tif 000002
【特許請求の範囲】
【請求項１】
コンテンツを管理するコンテンツ管理手段と、
前記コンテンツ管理手段において管理されているコンテンツから、外部に出力する１つないし複数のコンテンツを選択するコンテンツ選択手段と、
前記選択コンテンツに関する情報を取得するコンテンツ情報取得手段と、
選択されたコンテンツを出力するコンテンツ出力手段と、
前記コンテンツ情報取得手段によって取得された情報から、前記選択コンテンツに関するラベル形成に必要な情報を得てラベルデータを生成するラベルデータ生成手段と、
前記ラベルデータを視覚的にレイアウトしたラベルイメージを生成するラベルイメージ生成手段と、
前記ラベルイメージを出力するラベルイメージ出力手段とを有することを特徴とするコンテンツ管理装置。
【請求項２】
前記選択コンテンツに関する情報は、タイトル、著作権者、作成日時、取得日時、関連ＵＲＬ、利用日時、再生時間、圧縮率、ファイルサイズ、ファイル名、フォルダ名、ファイルフォーマット、カテゴリ、紹介文、評価点、感想文、キーワード、ＩＤの内少なくとも一つから構成されるテキスト情報を含むことを特徴とする請求項１に記載のコンテンツ管理装置。
【請求項３】
前記選択コンテンツに対するサムネイルを取得するサムネイル取得手段をさらに備え、前記選択コンテンツに関する情報としてサムネイルを含むことを特徴とする請求項１または２に記載のコンテンツ管理装置。
【請求項４】
前記ラベルデータ生成手段は、前記選択コンテンツに関する情報を含むインデックスを生成することを特徴とする請求項１から３のいずれかに記載のコンテンツ管理装置。
【請求項５】
前記ラベルデータ生成手段は、前記選択コンテンツに関する情報のうち、数値データに関し、累積値あるいは平均値を計算あるいは取得し、ラベルデータとして含めることを特徴とする請求項１から４のいずれかに記載のコンテンツ管理装置。
【請求項６】
前記ラベルデータ生成手段は、前記選択コンテンツの集合を表すタイトル、出力日時、出力者名に関する情報を生成あるいは取得し、ラベルデータとして含めることを特徴とする請求項１から５のいずれかに記載のコンテンツ管理装置。
【請求項７】
前記ラベルデータ生成手段は、前記選択コンテンツの集合に対して固有のＩＤを生成あるいは取得し、ラベルデータとして含めることを特徴とする請求項１から６のいずれかに記載のコンテンツ管理装置。
【請求項８】
ネットワーク通信手段ないしは放送受信手段をさらに備え、前記コンテンツ情報取得手段は、前記選択コンテンツに関する情報を通信ないしは放送を介して取得することを特徴とする請求項１から７のいずれかに記載のコンテンツ管理装置。
【請求項９】
前記ラベルイメージ生成手段は、前記ラベルデータの一部ないし全部、もしくはその参照を、機械読み取り可能なコードとして出力することを特徴とする請求項１から８のいずれかに記載のコンテンツ管理装置。
【請求項１０】
前記ラベルイメージ生成手段が生成した複数のラベルイメージの中から、ユーザが所望のラベルイメージを選択するラベルイメージ選択手段をさらに備えることを特徴とする請求項１から９のいずれかに記載のコンテンツ管理装置。
【請求項１１】
前記ラベルイメージ選択手段によって選択された過去のラベルイメージの書式情報に基づき、生成するラベルイメージのレイアウトや書式情報を決定することを特徴とする請求項１０に記載のコンテンツ管理装置。
【請求項１２】
前記ラベルイメージ出力手段を出力したラベルイメージを印刷する印刷手段を備えていることを特徴とする請求項１から１１のいずれかに記載のコンテンツ管理装置。
【請求項１３】
前記印刷手段の出力対象が、前記コンテンツを出力する記録メディア自体ないしはその記録メディアに貼付ないしは添付できるラベルであることを特徴とする請求項１２に記載のコンテンツ管理装置。
【請求項１４】
コンテンツを管理するコンテンツ管理手段と、
前記コンテンツ管理手段において管理されているコンテンツから、１つないし複数のコンテンツを選択するコンテンツ選択手段と、
選択されたコンテンツを出力するコンテンツ出力手段と、
ネットワーク通信手段ないしは放送受信手段と、
前記ネットワーク通信手段ないしは放送受信手段を介して前記選択コンテンツに関するラベルイメージを取得するラベルイメージ取得手段と、
前記ラベルイメージを出力するラベルイメージ出力手段とを備えるコンテンツ管理装置。
【請求項１５】
前記選択コンテンツに関する情報は、タイトル、著作権者、作成日時、取得日時、関連ＵＲＬ、利用日時、再生時間、圧縮率、ファイルサイズ、ファイル名、フォルダ名、ファイルフォーマット、カテゴリ、紹介文、評価点、感想文、キーワード、ＩＤの内少なくとも一つから構成されるテキスト情報を含むことを特徴とする請求項１４に記載のコンテンツ管理装置。
【請求項１６】
前記選択コンテンツに対するサムネイルを取得するサムネイル取得手段をさらに備え、前記選択コンテンツに関する情報としてサムネイルを含むことを特徴とする請求項１４または１５に記載のコンテンツ管理装置。
【請求項１７】
前記ラベルデータ生成手段は、前記選択コンテンツに関する情報を含むインデックスを生成することを特徴とする請求項１４から１６のいずれかに記載のコンテンツ管理装置。
【請求項１８】
前記ラベルデータ生成手段は、前記選択コンテンツに関する情報のうち、数値データに関し、累積値あるいは平均値を計算あるいは取得し、ラベルデータとして含めることを特徴とする請求項１４から１７のいずれかに記載のコンテンツ管理装置。
【請求項１９】
前記ラベルデータ生成手段は、前記選択コンテンツの集合を表すタイトル、出力日時、出力者名に関する情報を生成あるいは取得し、ラベルデータとして含めることを特徴とする請求項１４から１８のいずれかに記載のコンテンツ管理装置。
【請求項２０】
前記ラベルデータ生成手段は、前記選択コンテンツの集合に対して固有のＩＤを生成あるいは取得し、ラベルデータとして含めることを特徴とする請求項１４から１９のいずれかに記載のコンテンツ管理装置。
【請求項２１】
前記ラベルイメージ取得手段は複数のラベルイメージを取得し、ユーザがその中から望ましいラベルイメージを選択するラベルイメージ選択手段をさらに備えることを特徴とする請求項１５から２０のいずれかに記載のコンテンツ管理装置。
【請求項２２】
前記ラベルイメージ選択手段によって選択された過去のラベルイメージの書式情報に基づき、取得するラベルイメージの書式情報を決定することを特徴とする請求項２１に記載のコンテンツ管理装置。
【請求項２３】
前記ラベルイメージ出力手段は、ラベルイメージを印刷する印刷手段を備えていることを特徴とする請求項１４から２２のいずれかに記載のコンテンツ管理装置。
【請求項２４】
前記印刷手段の出力対象が、記録メディア自体ないしは記録メディアに貼付できるラベルであることを特徴とする請求項２３に記載のコンテンツ管理装置。
【請求項２５】
映像放送を受信し蓄積する機能をもつビデオレコーダであることを特徴とする請求項１から２４のいずれかに記載のコンテンツ管理装置。
【請求項２６】
前記請求項１から２５のいずれかに記載のコンテンツ管理装置の各手段として、コンピュータを機能させるためのプログラム。
【請求項２７】
前記請求項２６に記載のプログラムを記録した記録媒体。
【発明の詳細な説明】
【技術分野】
【０００１】
本発明は、多種多様なコンテンツを蓄積し管理しながら、そのコンテンツをＤＶＤ等の記録媒体に記録するとともにラベル印刷も行なえるコンテンツ管理装置、その装置としてコンピュータを機能させるためのプログラムおよびそれを記録した記録媒体に関する。
【背景技術】
【０００２】
ＤＶＤ（Digital Versatile Disc）などの外部出力機能を備えたＰＶＲ（Personal Video Recorder）の普及により、家庭でＣＤ（Compact Disc）やＤＶＤなどの記録メディアを作成することが多くなった。ユーザは記録メディアにコンテンツを記録することで、長期的にコンテンツを保存することができる。
【０００３】
ここでコンテンツとは、テキストや画像、動画、音声などのマルチメディアを含むファイルを指す。コンテンツ管理装置がＰＶＲである場合、コンテンツとは録画したＴＶ番組記録ファイルであり、コンテンツ管理装置がデジタルカメラである場合、コンテンツとは撮影した画像である。ハンディカム・ビデオレコーダーの扱うコンテンツは、ユーザが撮影したムービーであるし、メーラーが扱うコンテンツはメールやメールに添付されたさまざまなデータである。ＰＣや携帯電話、ホームメディアサーバーなどは複数種類のコンテンツを扱う。本発明で述べるコンテンツは、例示したものに限定されるわけではなく、ある所定の書式により構成されたファイル全般を指す。
【０００４】
記録メディアにはサウンドなどの音声コンテンツ、ムービーなどの映像コンテンツなどが蓄積されるが、通常、専用の再生装置を用いなければ、記録メディアの内部に記録されているコンテンツを確認することはできない。
【０００５】
コンテンツのタイトルや再生時間などの情報が確認できれば、コンテンツの検索性が大幅に向上するので、何らかの手段を用いて、その記録メディアに記録されているコンテンツに関する情報を、可視情報として記録メディアに付随させることが望ましい。そこでそれらの情報をペンなどを用いて直接記録メディアに書き込んだり、シールにして貼付したり、あるいはプリンタなどを用いて記録メディアに印刷したりする。
【０００６】
なお、レーベルとラベルは両方ともｌａｂｅｌで同じ物であり、一般的には対象とする物に貼付あるいは付加される、名前など対象物に関する情報を記した紙片等（材質は任意）を指す。たとえば、記録メディアがＣＤやＤＶＤの場合はレーベルと言うことが多いが、ビデオやカセットテープの場合はラベルと呼ぶ場合が多い。本明細書においては、記録メディアをＣＤやＤＶＤに限定しないので、より汎用的なラベルという表現を用いるが、例としてＣＤやＤＶＤを扱うときには、一般的な慣例に従いレーベルと呼称する場合もある。また、ラベルは必ずしも単一ではなく、たとえばＤＶＤの場合、ＤＶＤレーベル面とＤＶＤパッケージ（ジャケット）等の種類があるが、本明細書においては、それら対象物に貼付あるいは付加される可視情報をまとめてラベルと呼ぶ。
【０００７】
また、インデックス情報を類推したり検索したりする目的で、記録メディアにＩＤなどのメディア管理情報を付加する場合も多い。こうすることで、後日記録メディアに記録されている情報を、記録コンテンツを再生することなく確認したり、望むコンテンツが記録されている記録メディアを探し出すことが可能になる。
【特許文献１】特開平１１−２０２８５５号公報
【特許文献２】特開平１１−１３４２７９号公報
【特許文献３】特開２００２−２０７４９０号公報
【発明の開示】
【発明が解決しようとする課題】
【０００８】
そういった情報の付加処理は、手間が掛かるものである。ペンなどを用いてメディアに直接手書きするのが比較的容易な方法だが、多くの情報を記載するのは面倒な作業であり、雑になりがちで記載ミスも生じやすい。
【０００９】
最近ではＰＣ（Personal Computer）とプリンタを用いて、ＣＤやＤＶＤなどの記録メディアのラベルを印刷できる。ラベル作成用のＰＣソフトウェアも市販されており、ウィザードに従って、テンプレート素材などを選択し、タイトルなどを入力すれば、簡単に綺麗なラベルイメージを作成できる。インデックス情報に関しては、オンライン音楽情報データベースＣＤＤＢを参照したり、ＣＤ−ＴＥＸＴなどメディアに埋め込まれた情報を取得することによって、人手による入力の手間やミスを省くこともできる。
【００１０】
しかし、基本的に、こうした情報の付加には、ＰＣとプリンタやＣＤ／ＤＶＤラベル印刷機などの外部機器を、メディア記録装置とは別に利用せざるを得ず、記録メディアへの記録処理と情報付加処理を連動して行うことはできない。たとえばＰＣを用いてお気に入りの曲を組み合わせたＣＤを作成する場合には、ＣＤオーサリングソフトを起動して、必要なコンテンツを選択し、ＣＤライタを用いてＣＤに書き込む。出来上がったＣＤをプリンタに挿入し、ラベル作成ソフトウェアを起動して、ラベルを作成し、プリンタで印刷するという手順を踏む必要がある。これは非常に手間の掛かる作業であり、またＰＣに習熟していないユーザが手軽に行うことはできないという問題があった。
【００１１】
前記特許文献１、２、３などはメディア情報を記したラベルのイメージデータを、ネットワークを通じてサーバから取得することができる音楽用データ配信システムについて述べている。ユーザは自分でラベルを作成する手間を省くことができる。しかしながら、こうしたサービスが提供されていなければ、やはりユーザは自分で必要なラベルを作成する必要があった。
【００１２】
よって、本発明は、ユーザがコンテンツ記録メディアを管理する為のラベル情報を管理し、さらに、コンテンツ記録媒体あるいはその付属物へのラベルを付加するコンテンツ管理装置、その装置としてコンピュータを機能させるためのプログラムおよびそれを記録した記録媒体を提供することを目的とする。
【課題を解決するための手段】
【００１３】
第１の発明は、コンテンツを管理するコンテンツ管理手段と、前記コンテンツ管理手段において管理されているコンテンツから、外部に出力する１つないし複数のコンテンツを選択するコンテンツ選択手段と、前記選択コンテンツに関する情報を取得するコンテンツ情報取得手段と、選択されたコンテンツを出力するコンテンツ出力手段と、前記コンテンツ情報取得手段によって取得された情報から、前記選択コンテンツに関するラベル形成に必要な情報を得てラベルデータを生成するラベルデータ生成手段と、前記ラベルデータを視覚的にレイアウトしたラベルイメージを生成するラベルイメージ生成手段と、前記ラベルイメージを出力するラベルイメージ出力手段とを有することを特徴とするコンテンツ管理装置である。
【００１４】
これによりユーザは、コンテンツの外部出力と同時にそのラベルイメージを得ることができ、わざわざ別にラベルイメージを作成する手間をかける必要が無くなる。
【００１５】
第２の発明は、第１の発明に記載のコンテンツ管理装置であって、前記選択コンテンツに関する情報は、タイトル、著作権者、作成日時、取得日時、関連ＵＲＬ(Uniform Resource Locator)、利用日時、再生時間、圧縮率、ファイルサイズ、ファイル名、フォルダ名、ファイルフォーマット、カテゴリ、紹介文、評価点、感想文、キーワード、ＩＤの内少なくとも一つから構成されるテキスト情報を含むことを特徴とする。
【００１６】
望ましくは、これらの情報はユーザがラベルイメージ作成のために特別に入力するものではなく、コンテンツにあらかじめ埋め込まれているか、コンテンツを計測することで得られるか、コンテンツ管理などの別の目的でユーザにより入力された情報を流用する。
【００１７】
こうした情報をラベルイメージに含めることにより、ユーザはラベルイメージを見たときにそのコンテンツがどのようなコンテンツであったかをより詳細に知ることができるようになる。
もちろん、こうした情報をユーザがその場で入力したり訂正したりする手段を別に備えていても良い。
【００１８】
第３の発明は、第１または第２の発明に記載のコンテンツ管理装置であって、前記選択コンテンツに対するサムネイルを取得するサムネイル取得手段をさらに備え、前記選択コンテンツに関する情報としてサムネイルを含むことを特徴とする。
【００１９】
ここで言うサムネイルとは、元となるコンテンツから情報量を落として作成された別のコンテンツを指す。情報量を削減するためには、元コンテンツを空間的ないしは時間的に縮小すればよい。たとえば、面積の大きい画像ファイルのサムネイルとしては、面積を縮小した画像ファイルが考えられ、動画のサムネイルは、ある瞬間を切り出した静止画やその集合であったりする。また、再生時間を短縮させた動画や音声もサムネイルに含まれる。サンプリングレートを変化させることで、総再生時間は変化させずに、ファイルサイズを縮小したものもサムネイルに含まれる。さらに元コンテンツとサムネイルは同種類のメディアである必要はなく、例えば動画の概要を記したテキストなどもサムネイルと考えられる。
【００２０】
こうしたサムネイルをラベルイメージに含めることにより、ユーザはラベルイメージを見たときに対応するコンテンツがどのようなコンテンツであったかをより容易に知ることができるようになる。
【００２１】
第４の発明は、第１から第３の発明のいずれかに記載のコンテンツ管理装置であって、前記ラベルデータ生成手段は、前記選択コンテンツに関する情報を含むインデックスを生成することを特徴とする。
【００２２】
通常、コンテンツ管理装置からの外部出力は単一のコンテンツだけではなく、複数のコンテンツをまとめて行われる場合が多い。その場合には、それらの複数のコンテンツをまとめて一覧するためのインデックス情報が有用である。インデックス情報は、前述の選択コンテンツに関する情報のうち、コンテンツタイトルなどの主要な情報に関して、記録順に羅列することで生成される。多くの場合インデックスにおいて、各コンテンツには順に番号がふられて、その番号で対応するコンテンツにアクセスすることが可能である。
【００２３】
インデックス情報をラベルイメージに付加することで、コンテンツに対する一覧性が向上し、アクセスが容易になるという利点がある。
【００２４】
第５の発明は、第１から第４の発明のいずれかに記載のコンテンツ管理装置であって、前記ラベルデータ生成手段は、前記選択コンテンツに関する情報のうち、数値データに関し、累積値あるいは平均値を計算あるいは取得し、ラベルデータとして含めることを特徴とする。
【００２５】
各コンテンツは、再生時間、ファイルサイズ、評価点などの数値データを持つ場合がある。その際、それらの数値データを積算することで、コンテンツ全体の総再生時間や総ファイルサイズ、総評価点などを知ることが可能になる。また、平均点を算出することで、コンテンツ全体の傾向（評価平均点等）を知ることができるようになる。
【００２６】
このような累積値あるいは平均値をラベルイメージに含めることで、そのコンテンツ群全体を閲覧するのに必要な時間を見積もったり、必要なディスクスペースを知ったり、あるいは、個々のコンテンツの平均的な再生時間やファイルサイズを知ることが可能になる。
【００２７】
第６の発明は、第１から第５の発明のいずれかに記載のコンテンツ管理装置であって、前記ラベルデータ生成手段は、前記選択コンテンツの集合を表すタイトル、出力日時、出力者名に関する情報を生成あるいは取得し、ラベルデータとして含めることを特徴とする。
【００２８】
個々のコンテンツに対する情報ではなく、それらをまとめたコンテンツの集合に対して、タイトルを付加することで、それらをまとめて扱うことが可能になる。たとえば「お気に入り2005年1月11日版」等が考えられる。それらのコンテンツをまとめて出力した日時や出力者名などの情報も、後の検索などにおいて役立つ。
【００２９】
第７の発明は、第１から第６の発明のいずれかに記載のコンテンツ管理装置であって、前記ラベルデータ生成手段は、前記選択コンテンツの集合に対して固有のＩＤを生成あるいは取得し、ラベルデータとして含めることを特徴とする。
【００３０】
ＩＤを付加し、各コンテンツとＩＤを対応付けてコンテンツ管理装置が記憶しておくことにより、後になってあるコンテンツを探すときに、「そのコンテンツは××年○月□日に作成されたＩＤ：ＸＸＸＸＸＸＸ番のディスクに記録されています」といった指示を機器が出すことが可能になる。
【００３１】
第８の発明は、第１から第７の発明のいずれかに記載のコンテンツ管理装置であって、ネットワーク通信手段ないしは放送受信手段をさらに備え、前記コンテンツ情報取得手段は、前記選択コンテンツに関する情報を通信ないしは放送を介して取得することを特徴とする。
【００３２】
ネットワークを介した情報配信を受けることで、もともとコンテンツに埋め込まれたりしておらず、コンテンツを計測しても得られない情報に関しても、自動的に取得することができるようになるし、より詳細で最新の情報を得ることも可能になる。また、他人の感想文や評価などを利用できるのは、コンテンツを利用する上で、非常に役に立つ。
【００３３】
第９の発明は、第１から第８の発明のいずれかに記載のコンテンツ管理装置であって、前記ラベルイメージ生成手段は、前記ラベルデータの一部ないし全部、もしくはその参照を、機械読み取り可能なコードとして出力することを特徴とする。
【００３４】
ここで、機械読み取り可能なコードとは、ラベルの一部として出力可能なバーコード等のことをいい、ＪＡＮコード(Japan Article Number code)のような１次元バーコードに加え、ＱＲコード(Quick Response code)のような２次元バーコードを含む。ラベルの出力媒体にデジタルデータを蓄積する手段が備わっているならば、その蓄積手段にコードを記録しても良い。例えば、ＲＦＩＤ(Radio Frequency Identification)タグやＩＣタグを備える記録メディアがある場合、そのタグへの書き込み手段が存在するならば、そのタグにコードを記録することができる。
【００３５】
また、コードとしてＩＤ（参照）のみ含めておき、そのＩＤを元にデータベースに管理されているラベルデータを検索することも考えられる。特にＩＣタグはＩＤのみを記録することが一般的である。機械読み取り可能なコードの利用はメディア管理の自動化や効率化に役に立つ。
【００３６】
第１０の発明は、第１から第９の発明のいずれかに記載のコンテンツ管理装置であって、前記ラベルイメージ生成手段が生成した複数のラベルイメージの中から、ユーザが所望のラベルイメージを選択するラベルイメージ選択手段をさらに備えることを特徴とする。
【００３７】
ラベルデータからラベルイメージを生成する場合にはそのレイアウトや、テキストの書式など、無数のバリエーションが存在する。ユーザがいちいちそれらの書式を指定することも可能だが、数が多くなると面倒な作業となる。そこで、ラベルイメージ生成手段がいくつかの候補を提示し、その中からユーザが気に入ったものを選択するようにすれば、それほど多くの手間をかけずにユーザの好みに合ったラベルイメージを得ることができる。
【００３８】
第１１の発明は、第１０の発明に記載のコンテンツ管理装置であって、前記ラベルイメージ選択手段によって選択された過去のラベルイメージの書式情報に基づき、生成するラベルイメージのレイアウトや書式情報を決定することを特徴する。
【００３９】
このようにすることで、選択を繰り返すに従い、よりユーザの好みにあったラベルイメージを生成することが可能になる。生成するラベルイメージのレイアウトや書式情報は多くのパラメータによって決定されるが、ユーザによって選択される毎に、選択されたラベルイメージに利用されたパラメータ値の優先度を上げて行き、優先度が高いパラメータ値がより高い確率で以後のラベルイメージ作成において採用されるようにする。選択を繰り返すことで、よりユーザの好みに近いラベルイメージが生成されることが期待される。
【００４０】
第１２の発明は、第１から第１１の発明のいずれかに記載のコンテンツ管理装置であって、前記ラベルイメージ出力手段を出力したラベルイメージを印刷する印刷手段を備えていることを特徴する。
ここで印刷とは、ラベルイメージを視認可能な形に出力することを指す。一般的なインクを用いた印刷に加えて、感熱紙やリライトカードへの印字、記録メディアへのレーザ等を用いた刻印、電子インクによる描画なども含む。
【００４１】
ラベルイメージを簡単に閲覧可能な状態にすることができるため、ラベルデータの利用性が向上する。また、コンテンツの外部出力と同時に印刷することによって、印刷忘れを防ぐことが出来、ラベルデータの確実な付加を行うことができる。
【００４２】
第１３の発明は、第１２の発明に記載のコンテンツ管理装置であって、前記印刷手段の出力対象が、前記コンテンツを出力する記録メディア自体ないしはその記録メディアに貼付ないしは添付できるラベルであることを特徴とする。
【００４３】
前記印刷手段の出力対象が、前記コンテンツを出力する記録メディア自体ないしはその記録メディアに貼付ないしは添付できるラベルであることで、ラベルイメージと記録メディアを簡単に関連付けることが出来るようになる。たとえば、ＤＶＤにコンテンツを出力する際に、同時にそのラベルイメージをＤＶＤに印刷することで、ＤＶＤを整理したり、ＤＶＤの中に記録されているコンテンツに関する情報を把握することが可能になる。
【００４４】
第１４の発明は、コンテンツを管理するコンテンツ管理手段と、前記コンテンツ管理手段において管理されているコンテンツから、１つないし複数のコンテンツを選択するコンテンツ選択手段と、選択されたコンテンツを出力するコンテンツ出力手段と、ネットワーク通信手段ないしは放送受信手段と、前記ネットワーク通信手段ないしは放送受信手段を介して前記選択コンテンツに関するラベルイメージを取得するラベルイメージ取得手段と、前記ラベルイメージを出力するラベルイメージ出力手段とを備えるコンテンツ管理装置である。
【００４５】
ネットワークを介してラベルデータを配信することで、ラベル生成にかかる時間や計算機リソースを省略することが出来るし、プロがそのコンテンツ用に作成した洗練されたラベルイメージを利用できるという利点がある。配信されたラベルはそのまま利用することも出来るが、作成日時などの情報を加えたり、一部を加工することも可能である。
【００４６】
第１５の発明は、第１４の発明に記載のコンテンツ管理装置であって、前記選択コンテンツに関する情報は、タイトル、著作権者、作成日時、取得日時、関連ＵＲＬ、利用日時、再生時間、圧縮率、ファイルサイズ、ファイル名、フォルダ名、ファイルフォーマット、カテゴリ、紹介文、評価点、感想文、キーワード、ＩＤの内少なくとも一つから構成されるテキスト情報を含むことを特徴とする。
【００４７】
第１６の発明は、第１４または第１５の発明に記載のコンテンツ管理装置であって、前記選択コンテンツに対するサムネイルを取得するサムネイル取得手段をさらに備え、前記選択コンテンツに関する情報としてサムネイルを含むことを特徴とする。
【００４８】
第１７の発明は、第１４から第１６の発明のいずれかに記載のコンテンツ管理装置であって、前記ラベルデータ生成手段は、前記選択コンテンツに関する情報を含むインデックスを生成することを特徴とする。
【００４９】
第１８の発明は、第１４から第１７の発明のいずれかに記載のコンテンツ管理装置であって、前記ラベルデータ生成手段は、前記選択コンテンツに関する情報のうち、数値データに関し、累積値あるいは平均値を計算あるいは取得し、ラベルデータとして含めることを特徴とする。
【００５０】
第１９の発明は、第１４から第１８の発明のいずれかに記載のコンテンツ管理装置であって、前記ラベルデータ生成手段は、前記選択コンテンツの集合を表すタイトル、出力日時、出力者名に関する情報を生成あるいは取得し、ラベルデータとして含めることを特徴とする。
【００５１】
第２０の発明は、第１４から第１９の発明のいずれかに記載のコンテンツ管理装置であって、前記ラベルデータ生成手段は、前記選択コンテンツの集合に対して固有のＩＤを生成あるいは取得し、ラベルデータとして含めることを特徴とする。
【００５２】
ここで、第１５から第２０までの発明は、第２から第７の発明の作用効果と同じなので説明は省略する。
【００５３】
第２１の発明は、第１５から第２０の発明のいずれかに記載のコンテンツ管理装置であって、前記ラベルイメージ取得手段は複数のラベルイメージを取得し、ユーザがその中から望ましいラベルイメージを選択するラベルイメージ選択手段をさらに備えることを特徴とする。
【００５４】
第２２の発明は、第２１の発明に記載のコンテンツ管理装置であって、前記ラベルイメージ選択手段によって選択された過去のラベルイメージの書式情報に基づき、取得するラベルイメージの書式情報を決定することを特徴とする。
【００５５】
第２３の発明は、第１４から第２２の発明のいずれかに記載のコンテンツ管理装置であって、前記ラベルイメージ出力手段は、ラベルイメージを印刷する印刷手段を備えていることを特徴とする。
【００５６】
第２４の発明は、第２３の発明に記載のコンテンツ管理装置であって、前記印刷手段の出力対象が、記録メディア自体ないしは記録メディアに貼付できるラベルであることを特徴とする。
【００５７】
ここで、第２１から第２４までの発明は、第１０から第１３の発明の作用効果と同じなので説明は省略する。
【００５８】
第２５の発明は、第１から第２４の発明のいずれかに記載のコンテンツ管理装置であって、映像放送を受信し蓄積する機能をもつビデオレコーダであることを特徴とする。
【００５９】
コンテンツは映像番組となるが、それらにはＥＰＧ(Electric Program Guide)という電子番組情報が提供されるので、コンテンツ情報を容易に取得することが出来る。また、ＰＶＲ（Personal Video Recorder）はさまざまなコンテンツ管理手段を備えているおり、各コンテンツに対する評価や、コンテンツを録画したユーザ名やコンテンツ録画日時など、ＥＰＧから取得する情報以外にも多様な情報を利用できる。ＰＶＲにはＤＶＤなどのディスクにコンテンツを出力する機能を備えたものが多く発売されており、ディスク出力時に同時にラベルイメージのディスクへの印刷を行うことが出来れば、ユーザがディスクを取り扱うことがより容易になる。
【００６０】
ＰＶＲは必ずしも放送コンテンツのみを管理しているのではなく、メディアサーバ的な役割を担い、例えばデジタルカメラや携帯電話でユーザが撮影した写真や、デジタルビデオレコーダや携帯電話でユーザが撮影したムービー、音楽ＣＤなどから吸い上げられたサウンドなどを管理する場合もある。それらのコンテンツに関してはＥＰＧは提供されないが、デジタルカメラ写真のＥＸＩＦ(Exchangeable Image File Format)情報や、ＭＰ３ファイルのＩＤ３タグ情報、音楽ＣＤのＣＤ−ＴＥＸＴ情報など、さまざまなコンテンツに関する情報を利用することができる。それらの情報の細かな扱いに関しては本稿で細かく記述することはしないが、情報の種類や情報の入手先が異なるだけで、基本的にＥＰＧ情報の扱いと同様に処理できる。
【００６１】
第２６の発明は、第１から第２５の発明のいずれかに記載の前記コンテンツ管理装置の各手段として、コンピュータを機能させるためのプログラムである。
【００６２】
第２７の発明は、第２６の発明に記載のプログラムを記録した記録媒体である。
【発明の効果】
【００６３】
本発明によれば、録画したいコンテンツを記録媒体等に書き込むためにそのコンテンツ出力した場合、そのコンテンツに関するラベルイメージも同時に作成されるため、ユーザは、わざわざ別にラベルイメージを作成する手間をかける必要が無くなる。
【００６４】
また、ネットワーク等を介してラベルイメージを取得することができる場合は、ラベル生成にかかる時間や計算機リソースを省略することが出来るし、プロがそのコンテンツ用に作成した洗練されたラベルイメージを利用できる。
【発明を実施するための最良の形態】
【００６５】
以下、本発明の実施の形態を添付図面を参照して説明する。
【００６６】
＜第１の実施形態＞
ここに図１及び図２を参照して第１の望ましい実施の形態を説明する。図１に示すように、第１の実施形態はＰＶＲ（Personal Video Recorder）１００であって、ユーザインタフェース１０１、ＴＶチューナー１０２、ＥＰＧ取得部１０３、制御部１０４、ＨＤＤ１０５、ＤＶＤ出力部１０６、ＤＶＤラベル生成部１０７、ＤＶＤラベル印刷部１０８から構成されている。また、図２に示すように、制御部１０４は、コンテンツ管理手段１１０、コンテンツ選択手段１１１、コンテンツ出力手段１１２、コンテンツ情報取得手段１１３、サムネイル取得手段１１４、ラベルデータ生成手段１１５、ラベルイメージ生成手段１１６、ラベルイメージ選択手段１１７、ラベルイメージ出力手段１１８とから構成される。制御部１０４は、各部を制御している。
【００６７】
ＴＶ放送チューナー１０２で受信したＴＶ番組を制御部１０４が管理し、ユーザがユーザインタフェース１０１を介して選択したＴＶ番組をＨＤＤ１０５に録画・蓄積する。
【００６８】
ここで、ＥＰＧ（Electronic Program Guide）と呼ばれる電子番組表をＴＶ番組と同じくＴＶチューナー１０２を介してＥＰＧ取得部１０３が受信し、ユーザに提示する。このことによって、ユーザはＴＶ画面上においてＥＰＧ情報を参照しつつ、所望の番組を視聴したり、録画を設定することが出来る。
【００６９】
なお、本実施の形態においてはＥＰＧを放送波を介して受信する形態となっているが、インターネット回線を介して受信してもよい(ｉＥＰＧが該当)。また、図１のＰＶＲ１００の構成には含まれないが、ＰＶＲ１００は通常ＴＶ受像機と接続されて利用される。ユーザインタフェース１０１の一部は接続されたＴＶ受像機に投影され、リモコンを用いてユーザはインタラクションを行う。
【００７０】
図３にある番組のコンテンツに関するＥＰＧが含む情報の一例を示す。なお、ここに挙げた例はあくまで一例であり簡単のため詳細を省いている。基本的に各番組コンテンツに、ここに挙げたようなＥＰＧ情報が配信される。番組ＩＤはＴＶ番組につけられるＩＤであり、連続物の場合、同一のＩＤが付加される。番組タイトルはＴＶ番組のタイトルであり、番組ＩＤが同一なら番組タイトルも同一となる。番組サブタイトルは、連続物番組の個々の回のタイトルなどを示す。番組ＮＯは連続番組の第何番目かを示す数字である。コンテンツＩＤは番組コンテンツを一意に識別するＩＤである。放送チャンネル、放送時間は実際にその番組が放送されたときのチャンネルと時間を示し、出演者、内容、ジャンルはＴＶ番組の実際の内容を説明するデータである。
【００７１】
ユーザが録画した番組コンテンツはＨＤＤ１０５に蓄積され、ユーザはいつでもＨＤＤ１０５に蓄積されている番組コンテンツを呼び出して視聴することができる。しかしながら、ＨＤＤ１０５の容量には制限があるので、新たなコンテンツを録画する際には、ユーザが不必要なコンテンツを削除したり、あるいは外部メディアに移動させたりしなければならない場合が生じる。このＰＶＲ１００は、外部記録メディアとしてＤＶＤ１０９に番組コンテンツを出力することができる。ＤＶＤ出力部１０６は、ユーザインタフェース１０１を介しユーザによって選択されたコンテンツを、ＨＤＤ１０５からＤＶＤ１０９にコピーあるいは移動させる働きを担う。
【００７２】
なお、本実施例では外部メディアとしてＤＶＤを採用しているが、本発明の権利範囲はＤＶＤに限定されるものではない。Ｂｌｕ−rａｙ  ＤｉｓｃやＨＤ  ＤＶＤ(High Definition DVD)などの次世代光ディスク、ＳＤカードやホログラフィックメモリなどのメモリカード、カセットテープやビデオテープなどのテープデバイスなど機器外部に持ち出し可能な物理メディアであればよい。また、必ずしも外部メディアへの出力部がＰＶＲ１００の内部に内蔵されている必要もない。ＰＶＲ１００は、外部書込機器へのデータの送信機能だけを有し、実際の物理メディアへの書き込みはその外部書込機器が担ってもよい。
【００７３】
コンテンツの録画、移動、消去などはすべて制御部１０４のコンテンツ管理手段１１０で管理される。コンテンツ管理手段１１０がユーザの指示に基づいて、ＨＤＤ１０５のコンテンツを処理する。図４は図３で示した番組を録画した際にコンテンツ管理手段１１０が管理する情報の一例を示している。録画日時はその番組コンテンツを録画した日時を示しており、録画ユーザはその録画を設定したユーザ名を示している。録画モードは、そのコンテンツを録画した際のモードを示しており、ここでは録画品質の違いに応じて、スーパーファイン、ファイン、ノーマルの３つのモードが用意されている。ファイル名は、そのコンテンツを録画したファイルの名称であり、ファイルサイズはそのファイルの大きさを示す。一般的に高品質になればなるほど、同じ録画時間でもファイルサイズは大きくなる。レーティングはそのコンテンツを視聴したユーザが自ら設定する値であり、コンテンツ視聴後に評価画面が出て、ユーザが入力するようになっている。あとでレーティングを参照し、お気に入りのコンテンツを探し出すときなどに利用する。
【００７４】
以上に述べた形態は現在市販されているＰＶＲの一般的な構造と変わらないので、本明細書で詳細を述べることはしない。本発明のＰＶＲはさらにＤＶＤラベル生成部１０７とＤＶＤラベル印刷部１０８を備える。本構成ではＤＶＤ出力部１０６とＤＶＤラベル印刷部１０８は単一のＤＶＤトレイに挿入されるＤＶＤ１０９に対して処理を行うので、ユーザがＤＶＤを入れ替えたりする必要はない。
【００７５】
次に図５及び図６を参照して、ＤＶＤラベル生成のＰＶＲ１００の動作を記す。図５は、ＤＶＤの記録とラベル印刷におけるＰＶＲ１００の処理手順を示すフローチャートであり、図６はサブルーチンであるラベルイメージ生成の処理手順を示すフローチャートである。
【００７６】
ユーザインタフェース１０１を介してユーザがＨＤＤ１０５に格納されているコンテンツを選択する。コンテンツ選択手段１１１にはユーザが選択した選択指示情報が入力され、コンテンツ管理手段１１０を介してＨＤＤ１０５から選択コンテンツを読み出す（ステップＳ１）。コンテンツ選択手段１１１は、選択コンテンツをコンテンツ情報取得手段１１３と、コンテンツ出力手段１１２に送出する。コンテンツ情報取得手段１１３は、ＥＰＧ取得部１０３から、選択コンテンツに関する情報を取得し（ステップＳ２）、ラベルデータ生成手段１１５とコンテンツ出力手段１１２に出力する。
【００７７】
サムネイル取得手段１１４は、詳しくは後述するが、選択コンテンツからサムネイルを取得したり、ネットワークや放送からサムネイルを取得する（ステップＳ３）。コンテンツ出力手段１１２は、ＤＶＤ出力部１０６に選択コンテンツ、これに関する情報、及びサムネイル情報を出力し（ステップＳ４）、ＤＶＤ出力部１０６がＤＶＤに情報を書き込む（ステップＳ５）。なお、この実施例においては、選択コンテンツ、これに関する情報、及びサムネイル情報をＤＶＤに書き込むことになっているが、選択コンテンツだけでもよい。選択コンテンツに関する情報やサムネイル情報は、ユーザの選択にまかせてもよい。
【００７８】
一方、選択コンテンツに関する情報とサムネイル情報に基づいて、上述のようにラベルデータ生成手段１１５でラベルデータを生成する（ステップＳ６）。次に、ラベルイメージ生成手段１１６の処理について、図６を用いて詳しく述べる。
【００７９】
まず、ＤＶＤラベル全体のレイアウトを選択する（ステップＳ２１）。これはあらかじめ定められているいくつかの雛形の中から適当な物を選択する。図７はＤＶＤラベル雛形の一例を示したものである。この雛形に対して、トップタイトル、番組ＮＯ、番組サブタイトル、各種情報から構成される文字列設定を行い（ステップＳ２２）、さらにコンテンツから切り出したサムネイルを配置する（ステップＳ２３）。その上でラベルの一部をカバーするマスクを設定し（ステップＳ２４）、最後に背景イメージを配置する（ステップＳ２５）。
【００８０】
ここでラベルイメージは一つだけ生成されるのではなく、図８に示すように複数候補が選択され、ユーザがその中から気に入ったものを選択する。以下どのようにそれらのラベル候補を生成するか説明を行う。
【００８１】
ラベル生成に利用する雛形の決定は、基本的にランダムに行うが、以前に同じ番組ＩＤを持つコンテンツを出力したことがある場合には、その時に利用した雛形を利用する。同一の雛形を用いることによって、ラベルに統一感が生まれ、同じ番組を録画した複数のメディアに統一されたラベルを割り当てることが出来る。
【００８２】
図９は、この雛形を用いたＤＶＤラベルイメージを生成するのに必要なレイアウト・書式情報をまとめたものである。まずトップタイトル文字列の設定に関して説明を行う。トップタイトルは、ラベル全体でもっとも大きく表示されるタイトルであり、そのメディアを代表する名前と言ってもよい。このトップタイトルは、そのメディアにどのようなコンテンツが記録されるかによって、生成方法が変化する。
【００８３】
メディアに単一のコンテンツしか記録されない場合、トップタイトルはそのコンテンツの番組タイトルが選択される。メディアに複数のコンテンツが記録されるが、そのいずれもが同一の番組ＩＤをもつ同一の番組である場合にも、トップタイトルとして番組タイトルが選択される。この番組タイトルは図３で示したＥＰＧ情報によって取得されたものであり、コンテンツ管理手段１１０によって管理されている。一方、メディアに複数のコンテンツが記録されて、かつそれらのコンテンツが同一の番組ＩＤを持たない場合には、「ユーザ名＃通し番号」という書式にしたがって、タイトルを生成する。ユーザひろしが作成する１６枚目のＤＶＤには、「ひろし＃１６」というトップタイトルが生成される。なお、このタイトルに関しては、ユーザがエディットすることも可能である。
【００８４】
図１０は、図３で示した番組コンテンツを記録したメディアのラベル生成におけるトップタイトル設定の様子を示している。トップタイトル文字列を配置する場所は雛形によって定められており、ラベル生成部は雛形で定められた場所に適切に収まるようにトップタイトルをあらわすフォントサイズを決定する。トップタイトルの文字数が多い場合には、フォントサイズは小さくなり、文字列が少ない場合には、フォントサイズは大きくなる。フォント名、フォントタイプ（太字・斜体）、フォント色などのフォント属性に関しては、その雛形を始めて利用する場合には、雛形によって定められたデフォルト値が利用される。一方、以前にその雛形を利用したことがある場合には、基本的にそのときに利用した設定に従う。
【００８５】
図１１は、図３で示した番組コンテンツを記録したメディアのラベル生成におけるサムネイル設定の様子を示している。サムネイルは、番組コンテンツの一部を切り出したものである。サムネイルの大きさと位置は、先に選択した雛形にあらかじめ規定されている。番組コンテンツには主要なシーンにインデックスが付加されており、ここではインデックスに基づき、番組のタイトル画面をサムネイルとして自動的に切り出す。
【００８６】
図１２は、図３で示した番組コンテンツを記録したメディアのラベル生成におけるマスク設定の様子を示している。マスクはラベルの一部を覆うものであり、ラベルの色調を変更するのに利用される。ここでは、ラベルの色調は作成ユーザごとに規定される。ユーザごとにラベル色が規定されているため、ラベルを見れば誰が作成したＤＶＤかを一目瞭然で知ることが出来る。
【００８７】
図１３は、図３で示した番組コンテンツを記録したメディアのラベル生成における背景設定の様子を示している。背景には、サムネイルと同様に番組コンテンツから任意のシーンを切り出して利用することも出来るし、あらかじめＰＶＲに準備された画像素材を利用することもできる。背景素材にはあらかじめジャンルが設定されており、図３で示したＥＰＧ情報におけるジャンルと一致する物の中から選択される。
【００８８】
上記に述べた手順を経てラベルが生成される。上記に示した各手順において複数の可能性が存在するので、それらの組み合わせにより複数のラベルが生成される。可能な組み合わせは無数に存在する。図８は６つの候補が提示されている様子を示している。ユーザは提示された候補の中から所望するラベルを選択することができる（ステップＳ８）。ユーザはユーザインタフェース１０１を介して所望のラベルイメージを選択し、その選択指示情報に基づいてラベルイメージ選択手段１１７がラベルイメージ生成手段１１６で生成された複数のラベルイメージから指示されたラベルイメージを選択してラベルイメージ出力手段１１８へ出力する。
【００８９】
遺伝的アルゴリズム手法(Genetic Algorithms : GAs)を用いて、この選択を複数回行うことにより、各パラメータに選択頻度による重みを付け、よりユーザの嗜好に沿ったラベルを生成することも可能である。
【００９０】
ここで、最終的にユーザが選択したラベルイメージが、ラベルイメージ出力手段１１８からＤＶＤラベル生成部１０７に出力され、印刷可能なデータに変換されて、ＤＶＤラベル印刷部１０８に送られ、ＤＶＤ１０９のラベル面に印刷される。印刷は、インクジェットプリンタのような手段を用いてもよいし、ＤＶＤラベル面にあらかじめ感熱塗料を塗布しておき、レーザで加熱することによって印字してもよい。電子ペーパーなどの書き換え可能なラベルの場合、ラベルイメージの印刷はデータの入力と言う形で行われ、サムネイルとして動画や音声を含むようにもすることも可能である。
【００９１】
また、本構成では、ＤＶＤラベル面への直接の印字を行うが、記録メディアに貼り付けるラベルシールを出力してもよい。ユーザはＤＶＤ作成の前後に生成されたラベルシールを、ＤＶＤ自体やＤＶＤパッケージに貼付することができる。ＤＶＤパッケージに利用するならば、シールになっている必要は無く、パッケージの適当な部分に挟み込むことができる。このようにラベルを直接印刷せずにラベルなどの中間媒体に出力することで、ラベルを後で置き換えることが可能になる。ＤＶＤ±ＲＷやＤＶＤ−ＲＡＭなどの追記型・書換可能メディアを利用する場合には、置き換え可能なラベル出力形式をとることが望ましい。
【００９２】
このＤＶＤラベル印刷は、図１のＤＶＤ出力部１０６によるＤＶＤへのデータ書き込みに前後して行われるので、ユーザは特にＤＶＤラベル印刷を意識することはない。図８のラベルイメージ選択画面は、「すべておまかせモード」を利用することで省略することが可能で、その場合第一の候補ラベルが自動的に利用される。
【００９３】
図１４はＤＶＤ出力後のコンテンツ管理情報を示している。図４に比較して、外部出力日時、外部出力モード、外部出力ユーザ、外部出力ＩＤ、外部出力ラベル情報が新たに追加される。外部出力日時はＤＶＤ出力した日時であり、外部出力モードは番組コンテンツのエンコードモードを示している。外部出力ユーザは外部出力処理を行ったユーザ名であり、外部出力ＩＤは作成したＤＶＤに一意に割り当てられる固有のＩＤである。外部出力ラベルは外部出力ラベル保存ファイル名を記しており、このファイルを呼び出せば、再度同じラベルイメージを呼び出すことができる。
【００９４】
外部出力ラベルとして記録されているファイルは、単一のラスタイメージ（ＢＭＰやＪＰＧ等）であってもよいが、それでは修正も再利用できないので、ラベル上の各情報を分離可能な形で保存されていることが望ましい。たとえば、同じ番組の続きの回を録画する場合に、ラベルデータを新しい情報に更新した上で、以前のラベルを再利用することができる。
【００９５】
図１４のようにＤＶＤ出力情報を保持しておくことで、後日同じ番組をまた録画しようとした場合、図１５に示すように、以前ＤＶＤ出力をしたことを通知するメッセージをユーザに示すことが出来る。図１５の「ディスク参照」ボタンを押せば、外部出力ラベル保存ファイルを呼び出すことにより、ラベルの概観を参照することが出来る。こうすることで、どのようなラベルを探せばよいかユーザは知ることが出来るので、多くのディスクの中から所望のディスクを見つけることが容易になる。
【００９６】
図１６はラベル面にバーコードを出力した様子を示している。図１４に示した外部出力ＩＤをバーコードとして印刷することによって、外部出力ＩＤをバーコード対応機器で読み取り、それをキーに図１４に示したＤＶＤ出力情報などを呼び出すことが可能になる。なお、ここではバーコードとしたがこれに限るわけではなく、機械読み取り可能なコードであれば、どのような形態のものでもよい。例えば、文字や数字などのデータを２次元の図形パターンとして物体の表面や紙面に印刷し、それを読み取ることが可能となっているものでもよい。
【００９７】
図１７は複数の番組コンテンツを一枚のディスクに記録した場合に生成されるＤＶＤラベルの一例を示している。図１７（ａ）は同一番組の複数回を記録したものなので、トップタイトルに番組タイトルが印字される。図１７（ｂ）は異なった複数の番組を記録したものなので、トップタイトルは外部出力ユーザ名と通し番号の組として生成される。いずれのラベルにも、記録されているコンテンツのインデックスが印字されており、ユーザはどのような番組コンテンツが保存されているか知ることができる。総再生時間はそのディスクに記録されているすべての番組コンテンツの再生時間を累積したものである。
【００９８】
＜第２の実施の形態＞
次に図１８及び図１９を参照して第２の望ましい実施の形態を説明する。第２の実施の形態もＰＶＲ（Personal Video Recorder）２００であって、ほぼ第一の形態と同一だが、図１８に示すように、制御部２０４とインターネット通信部２１０が異なる。図１９に示すように、制御部２０４は、ラベルデータ生成手段１１５及びラベルイメージ生成手段１１６の代わりにラベルイメージ取得手段２１１を備えている。図２０に、ＤＶＤの記録とラベル印刷におけるＰＶＲ２００の処理手順を示す。図５とほぼ同じであるが、ステップＳ６及びＳ７の代わりにステップＳ３６を行う点が異なる。ステップ３６において、ＤＶＤラベル取得手段２１１はインターネット通信部２１０を通してラベルイメージ配信サーバからラベルイメージを取得する機能をもつ。ラベルイメージ配信サーバはＤＶＤに出力するコンテンツＩＤをＰＶＲから取得し、それに対応したラベルイメージを生成し、ＰＶＲ２００に向けて送信する。
【００９９】
ＤＶＤラベル取得手段２１１は、必要ならば、得られたラベルイメージに図４に示したコンテンツ管理情報を追記した上で、ＤＶＤ出力部１０８に送る。また、本実施の形態では、各番組に対応したラベルイメージがＴＶ放送波を通しても配信されており、ユーザはそれを利用することも可能である。
【０１００】
＜第３の実施の形態＞
次に図２１を参照して第３の望ましい実施の形態を説明する。第３の実施の形態もＰＶＲ（Personal Video Recorder）３００であって、ほぼ第一の形態と同一だが、ＤＶＤラベル印刷部２０８の代わりに外部インタフェース３１０を備える。第１の実施の形態と同様の手順を経て生成されたラベルイメージは、外部インタフェース２１１を通して機器の外部に持ち出すことが可能であり、外部の印刷機器を用いて印刷することが可能である。ＰＶＲに印刷機能を備える必要が無いので、機器製造にかかるコスト増を抑えることが出来、ユーザは手持ちのプリンタを流用可能と言う利点がある。外部インタフェースには有線ないし無線のネットワークインタフェースやメモリカードなどの物理記録デバイスなどが利用できる。
【０１０１】
なお、上記において、コンテンツ管理機器としてＰＶＲを例に挙げたが請求項に記載の構成を持つコンテンツ管理装置、たとえば、音楽プレイヤーや、ラジオ、デジタルビデオレコーダ、デジタルカメラ、携帯電話、ＰＣ、ホームサーバーなども、本特許の権利範囲となる。
【０１０２】
たとえばデジタルラジオで受信したり、ネットワーク上のサーバからダウンロードした楽曲をＰＣで受信し、それらをまとめてＣＤやメモリカードに出力する際に、ラベルイメージを生成することができる。ラベルデータ生成に必要な情報は、ラジオ放送波を通して受信したり、ネットワーク上のサーバから取得したり、あるいは、楽曲データに埋め込まれている。生成されたラベルイメージはＣＤライタ統合型プリンタでＣＤ作成と同時にラベル面に印刷されてもよいし、ＰＣに接続されたプリンタに送信されて、ＣＤが挿入された後ラベル面として印刷されてもよい。また同様の手順でパッケージラベルを生成することもできるので、適当な紙に印刷してＣＤケースに挟んでおいてもよい。
【０１０３】
なお、上記処理内容がプログラムとしてＲＯＭ等のメモリやＨＤＤの記録媒体に格納され、このプログラムを制御部が読み出して実行することも可能である。
【図面の簡単な説明】
【０１０４】
【図１】第１の実施の形態におけるＰＶＲを示すブロック図である。
【図２】第１の実施の形態におけるＰＶＲの制御部の機能ブロック図である。
【図３】ある番組のコンテンツに関するＥＰＧが含む情報の一例を示す図である。
【図４】図３で示した番組を録画した際にコンテンツ管理手段が管理する情報の一例を示す図である。
【図５】第１の実施の形態における記録とラベル印刷の処理手順を示すフローチャートである。
【図６】ラベルイメージ生成の処理手順を示すフローチャートである。
【図７】ＤＶＤラベル雛形の一例を示す図である。
【図８】複数のラベルイメージを示す図である。
【図９】図７の雛形を用いたＤＶＤラベルイメージを生成するのに必要なレイアウト・書式情報をまとめた図である。
【図１０】図３で示した番組コンテンツを記録したメディアのラベル生成におけるトップタイトル設定を示す図である。
【図１１】図３で示した番組コンテンツを記録したメディアのラベル生成におけるサムネイル設定を示す図である。
【図１２】図３で示した番組コンテンツを記録したメディアのラベル生成におけるマスク設定を示す図である。
【図１３】図３で示した番組コンテンツを記録したメディアのラベル生成における背景設定を示す図である。
【図１４】ＤＶＤ出力後のコンテンツ管理情報を示す図である。
【図１５】ＤＶＤ出力をしたことを通知するメッセージを示す図である。
【図１６】ラベル面にバーコードを出力した様子を示す図である。
【図１７】複数の番組コンテンツを一枚のディスクに記録した場合に生成されるＤＶＤラベルの一例を示す図である。
【図１８】第２の実施の形態におけるＰＶＲを示すブロック図である。
【図１９】第２の実施の形態におけるＰＶＲの制御部を示す機能ブロック図である。
【図２０】第２の実施の形態におけるＤＶＤの記録とラベル印刷の処理手順を示すフローチャートである。
【図２１】第３の実施の形態におけるＰＶＲを示すブロック図である。
【符号の説明】
【０１０５】
１００  ＰＲＶ
１０１  ユーザインタフェース
１０２  チューナー
１０３  取得部
１０４  制御部
１０６  出力部
１０７  ラベル生成部
１０８  ラベル印刷部
１１０  コンテンツ管理手段
１１１  コンテンツ選択手段
１１２  コンテンツ出力手段
１１３  コンテンツ情報取得手段
１１４  サムネイル取得手段
１１５  ラベルデータ生成手段
１１６  ラベルイメージ生成手段
１１７  ラベルイメージ選択手段
１１８  ラベルイメージ出力手段
２００  ＰＲＶ
２０４  制御部
２１０  インターネット通信部
２１１  ラベルイメージ取得手段
３００  ＰＲＶ
３１０  外部インタフェース
【図１】
2006309854.tif 000003
【図２】
2006309854.tif 000004
【図３】
2006309854.tif 000005
【図４】
2006309854.tif 000006
【図５】
2006309854.tif 000007
【図６】
2006309854.tif 000008
【図７】
2006309854.tif 000009
【図８】
2006309854.tif 000010
【図９】
2006309854.tif 000011
【図１０】
2006309854.tif 000012
【図１１】
2006309854.tif 000013
【図１２】
2006309854.tif 000014
【図１３】
2006309854.tif 000015
【図１４】
2006309854.tif 000016
【図１５】
2006309854.tif 000017
【図１６】
2006309854.tif 000018
【図１７】
2006309854.tif 000019
【図１８】
2006309854.tif 000020
【図１９】
2006309854.tif 000021
【図２０】
2006309854.tif 000022
【図２１】
2006309854.tif 000023